(57)【要約】【課題】制御系のメンテナンスを安全に行うことができ、内蔵された機器類のメンテナンスを容易に行うことができ、コンパクトで見栄えが良く表示器・計器類を扉を閉めたままで見ることができるキュービクルを提供すること。【解決手段】制御盤付筐体装置１においては、制御ボックス本体８が本体扉３の内側で筐体の構成部分に９０度以上回動可能に取付けられているので、制御ボックス扉１２を閉じたまま、制御ボックス８，１２を９０度以上回動させることによって、機器設置範囲１３の前面が完全に開放された状態になり、制御ボックス８，１２が作業者の邪魔をすることがなくなる。制御ボックス扉１２を９０度以上開け放つことによって、作業者は制御機器のメンテナンスを容易に行うことができ、制御ボックス本体８を４５度程度手前に回動させることで、作業者を機器設置範囲１３から引き離すことができ、より安全を確保することができる。【選択図】　　　　図１
2004135373.tif 000002
【特許請求の範囲】
【請求項１】
最外郭を形成する枠体及び前記枠体に取付けられた４面以上からなるパネル、または枠体なしで組み立てられた４面以上からなるパネル、及び前記枠体または前記パネルに取付けられた外部軸支持部に固着された一部に透過性窓を設けた１枚以上の開閉扉からなる筐体と、
前記開閉扉の内側で前記筐体の構成部分に取付けられ、制御機器を収容する少なくとも１面を開放した制御機器収容部と、
前記制御機器収容部の開放面に内部軸支持部で９０度以上回動するように開閉自在に配設され、制御機器が取付けられ、表面の表示器類が前記開閉扉を閉じた状態で前記透過性窓を通して見える位置にある内側開閉扉と
を具備することを特徴とする制御盤付筐体装置。
【請求項２】
最外郭を形成する枠体及び前記枠体に取付けられた４面以上からなるパネル、または枠体なしで組み立てられた４面以上からなるパネル、及び前記枠体または前記パネルに取付けられた外部軸支持部に固着された一部に透過性窓を設けた１枚以上の開閉扉からなる筐体と、
前記開閉扉の内側で前記筐体の構成部分に取付けられ、９０度以上回動する中間軸支持部、及び前記中間軸支持部に固着された制御機器を収容する少なくとも１面を開放した制御機器収容部と、
前記制御機器収容部の開放面に内部軸支持部で９０度以上回動するように開閉自在に配設され、制御機器が取付けられ、表面の表示器類が前記開閉扉を閉じた状態で前記透過性窓を通して見える位置にある内側開閉扉と
を具備することを特徴とする制御盤付筐体装置。
【請求項３】
前記制御機器収容部の開放面側の反対面側は、開放としたことを特徴とする請求項１または請求項２に記載の制御盤付筐体装置。
【請求項４】
前記制御機器収容部の開放面側の反対面側は、開放可能な螺子止めとしたことを特徴とする請求項１または請求項２に記載の制御盤付筐体装置。
【請求項５】
前記制御機器収容部の開放面側の反対面側は、開放自在な扉としたことを特徴とする請求項１または請求項２に記載の制御盤付筐体装置。
【請求項６】
前記筐体は、前記制御機器収容部の背面側に前記筐体の全体を開放できる観音開扉状の金属製のネットを張設したことを特徴とする請求項１乃至請求項５のいずれか１つに記載の制御盤付筐体装置。
【請求項７】
前記筐体は、前記制御機器収容部を一側に、他側に金属製のネットを観音開扉状に配設したことを特徴とする請求項１乃至請求項５のいずれか１つに記載の制御盤付筐体装置。
【請求項８】
前記筐体は、前記開閉扉を観音開扉とし、該開閉扉の内側で前記筐体の構成部分に取付けられ、９０度以上回動する中間軸支持部、及び前記中間軸支持部に固着された制御機器を収容する１面を開放した制御機器収容部と、前記制御機器収容部の開放面に内部軸支持部で開閉自在に配設され、制御機器を取付けた内側開閉扉とを観音開状に１対ずつ設けたことを特徴とする請求項１乃至請求項６のいずれか１つに記載の制御盤付筐体装置。
【発明の詳細な説明】
【０００１】
【発明の属する技術分野】
本発明は、遮断機、変圧器、ブロア、高電圧受電用、燃料電池、蓄電池収容等を収容する電気系または機械系のキュービクルとして使用できる制御盤付筐体装置に関するものであり、特に、当該キュービクルのその扉と制御機器との関係を改良した制御盤付筐体装置に関するものである。
【０００２】
【従来の技術】
【特許文献１】実開平７−３６５１３号公報
従来の高圧受電設備としてのキュービクルは、函体と、この函体を支持するチャンネルベースと、函体に載置される屋根体とで構成されている。函体の内部にはトランスが収納され、チャンネルベースには吸気口が、屋根体の庇部には排気口がそれぞれ設けられている。トランスの近傍にはトランスを囲繞する気流整流板が設けられ、排気口の近傍には排気用ファンが設けられている。
【０００３】
排気用ファンの運転によって、チャンネルベースに設けられた吸気口から函体の内部に吸い込まれた外気は、函体に収納されたトランスの近傍にトランスを囲繞する気流整流板によって、トランスのフィンに吹き付けられ、トランスから発生する熱を奪い、熱せられた空気は、屋根体の庇部に設けられた排気口から排出される。
【０００４】
【発明が解決しようとする課題】
ところで、従来の高圧受電設備としてのキュービクルは、扉を開放すると内部には配電盤が配設されており、配電盤の修理に作業員が入るとトランスの高圧ブッシング側に近付いたり、高圧配線側に近づく危険性がある。また、高圧配線でなくても、機械的部分であっても配電盤のメンテナンスの際には、高電圧側または機械側に近付くことなく行うことが困難であった。また、逆に函体内部に設置された遮断機、変圧器、ブロア、高電圧受電用、燃料電池、蓄電池収容等の機器のメンテナンスを行う際には、配電盤の背後や下方の部分への作業が配電盤が邪魔になって著しくメンテナンスを行いにくくしていた。
【０００５】
また、配電盤を函体の外側に取付けた例もあるが、屋外設置型では配電盤が雨に濡れてしまい、また全体が嵩高くなり見栄えも悪く余分なスペースを必要とするだけでなく、素人、関係者外が操作できてしまうという不具合がある。更に、配電盤を扉の裏側に取付けた例もあるが、この場合には表示ランプ、メータ等の表示器・計器類が一々扉を開けないと見ることができないという問題点があった。
【０００６】
そこで、本願発明は、かかる不具合を解決するためになされたもので、制御系のメンテナンスを安全に行うことができ、内蔵された機器類のメンテナンスを容易に行うことができるとともに、コンパクトで見栄えが良く表示器・計器類を扉を閉めたままで見ることができるキュービクルの提供を課題とするものである。
【０００７】
【課題を解決するための手段】
請求項１にかかる制御盤付筐体装置は、最外郭を形成する枠体及び前記枠体に取付けられた４面以上からなるパネル、または枠体なしで組み立てられた４面以上からなるパネル、及び前記枠体または前記パネルに取付けられた外部軸支持部に固着された一部に透過性窓を設けた１枚以上の開閉扉からなる筐体と、前記開閉扉の内側で前記筐体の構成部分に取付けられ、制御機器を収容する少なくとも１面を開放した制御機器収容部と、前記制御機器収容部の開放面に内部軸支持部で９０度以上回動するように開閉自在に配設され、制御機器が取付けられ、表面の表示器類が前記開閉扉を閉じた状態で前記透過性窓を通して見える位置にある内側開閉扉とを具備するものである。
【０００８】
したがって、各種制御機器の配設されている制御機器収容部の内側開閉扉は、開閉扉を開放することによってのみ、制御機器の操作が可能となり、素人、関係者外が操作する可能性がない。また、雨風に制御機器が晒されることがなくなり、当該制御機器の寿命を長くすることができる。また、制御機器を取付けた内側開閉扉を開放することにより、制御機器のメンテナンスを行なうことができる。そして、この内側開閉扉は制御機器収容部の開放面に内部軸支持部で９０度以上回動するように開閉自在に配設されているから、内側開閉扉を９０度以上の範囲内で自由な方向に開くことができる。これによって、内側開閉扉に取付けられた制御機器のメンテナンスを行う際に、筐体内に内蔵する遮断機、変圧器、ブロア、高電圧受電用、蓄電池収容等に作業員が背を向けることなく作業をすることができるから、安全性を確保できる。
【０００９】
ところで、最外郭を形成する枠体は、通常、８辺の構造体からなるが、筐体を構成する機械的強度を維持できればよく、底部は基礎に設置することから、底部側の形態は基礎に設置できる構造となる。
【００１０】
また、前記枠体に取付けられた、または枠体なしで組み立てられた４面以上からなるパネルは、両側面体及び背面体及び屋根面体であり、底面は通常有していないが、設置条件によって設けてもよい。底面パネルを設けることによって基礎に固定されず、移動自在なキュービクルとすることができる。当該パネルは、換気用窓、換気ファン等が配設されたり、自然対流が生じるように必要な空間を形成したものとすることができる。即ち、全面が板状であることを必要とするものではなく、通常の使用状態によって構成される金網、スリット等が配置される。
【００１１】
そして、前記枠体またはパネルに取付けられた外部軸支持部に固着された一部に透過性窓を設けた１枚以上の開閉扉は、通常、観音開扉が使用されるが、１枚物の扉とすることもできる。１枚物の扉よりも観音開扉の方が、開閉のスペースを少なくできる。
【００１２】
また、制御機器収容部の開放面に内部軸支持部で９０度以上回動するように開閉自在に配設され、制御機器を取付けた内側開閉扉は、通常、各種表示、各種スイッチが配設される通常の制御ボックスの制御盤である。この内側開閉扉の表面の表示器類は、開閉扉を閉じた状態で透過性窓を通して見える位置にあるので、表示器類を開閉扉を閉めた状態で見ることができる。
【００１３】
ここで、表示器類には、表示ランプ・警告ランプ・電流メータ・電圧メータ・電力メータ・デジタル温度計、カウンタ等の各種計器、タッチパネル等が含まれる。
【００１４】
このようにして、制御系のメンテナンスを安全に行うことができ、コンパクトで見栄えが良く表示器・計器類を扉を閉めたままで見ることができる制御盤付筐体装置となる。
【００１５】
請求項２にかかる制御盤付筐体装置は、最外郭を形成する枠体、及び前記枠体に取付けられた４面以上からなるパネル、または枠体なしで組み立てられた４面以上からなるパネル、及び前記枠体または前記パネルに取付けられた外部軸支持部に固着された一部に透過性窓を設けた１枚以上の開閉扉からなる筐体と、前記開閉扉の内側で前記筐体の構成部分に取付けられ、９０度以上回動する中間軸支持部、及び前記軸支持部に固着された制御機器を収容する少なくとも１面を開放した制御機器収容部と、前記制御機器収容部の開放面に内部軸支持部で９０度以上回動するように開閉自在に配設され、制御機器が取付けられ、表面の表示器類が前記開閉扉を閉じた状態で前記透過性窓を通して見える位置にある内側開閉扉とを具備するものである。
【００１６】
したがって、各種制御機器の配設されている制御機器収容部の内側開閉扉は、開閉扉を開放することによってのみ、制御機器の操作が可能となり、素人、関係者外が操作する可能性がない。また、雨風に制御機器が晒されることがなくなり、当該制御機器の寿命を長くすることができる。また、制御機器を取付けた内側開閉扉を開放することにより、制御機器のメンテナンスを行なうことができる。
【００１７】
そして、制御機器収容部が回動自在であるから、筐体内に内蔵されている遮断機、変圧器、ブロア、高電圧受電用、蓄電池収容等の機器類のメンテナンスを行う際には、制御機器収容部を９０度以上回動させることによって筐体前面が完全に開放された状態になり、制御機器収容部が邪魔にならないためメンテナンスが非常にやり易くなる。また、複雑な制御回路で電子機器の設置スペースを広くする必要のある場合であっても、制御機器収容部を回動させることによって制御機器収容部の後側からのメンテナンスが可能であるから、その搭載が可能である。
【００１８】
また、筐体内に内蔵する遮断機、変圧器、ブロア、高電圧受電用、蓄電池収容等の出し入れも容易になる。特に、９０度以上回動させることにより、出し入れの開口面積をより広くすることができる。更に、制御機器のメンテナンスの際にも筐体内に内蔵する遮断機、変圧器、ブロア、高電圧受電用、蓄電池収容等の機器類に作業員が背を向けることなく、またこれら機器類から最も離れた位置で作業をすることができるから、安全性を確保できる。
【００１９】
ところで、最外郭を形成する枠体は、通常、８辺の構造体からなるが、筐体を構成する機械的強度を維持できればよく、底部は基礎に設置することから、底部側の形態は基礎に設置できる構造となる。
【００２０】
また、前記枠体に取付けられた、または枠体なしで組み立てられた４面以上からなるパネルは、両側面体及び背面体及び屋根面体であり、底面は通常有していないが、設置条件によって設けてもよい。底面パネルを設けることによって、基礎に固定されず、移動自在なキュービクルとすることができる。当該パネルは、換気用窓、換気ファン等が配設されたり、自然対流が生じるように必要な空間を形成したものとすることができる。即ち、全面が板状であることを必要とするものではなく、通常の使用状態によって構成される金網、スリット等が配置される。
【００２１】
そして、前記枠体またはパネルに取付けられた外部軸支持部に固着された一部に透過性窓を設けた１枚以上の開閉扉は、通常、観音開扉が使用されるが、１枚物の扉とすることもできる。１枚物の扉よりも観音開扉の方が、開閉のスペースを少なくできる。
【００２２】
更に、開閉扉の内側で前記筐体の構成部分に取付けられ、９０度以上回動する中間軸支持部は、通常、機械的強度のある蝶番で実施されるが、軸として回動できる構造のものであればよい。
【００２３】
更にまた、中間軸支持部に固着された制御機器を収容する少なくとも１面を開放した制御機器収容部は、各種制御機器が収容される空間であり、多層に設置スペースを確保することもできる。背面からも修理等の操作が可能なように、背面板を取り外し自在にすることもでき、開閉自在な扉とすることもできる。
【００２４】
そして、制御機器収容部の開放面に内部軸支持部で９０度以上回動するように開閉自在に配設され、制御機器を取付けた内側開閉扉は、通常、各種表示、各種スイッチが配設される通常の制御ボックスの制御盤である。この内側開閉扉の表面の表示器類は、開閉扉を閉じた状態で透過性窓を通して見える位置にあるので、表示器類を開閉扉を閉めた状態で見ることができる。
【００２５】
このようにして、制御系のメンテナンスを安全に行うことができ、内蔵された機器類のメンテナンスを容易に行うことができるとともに、コンパクトで見栄えが良く表示器・計器類を扉を閉めたままで見ることができる制御盤付筐体装置となる。
【００２６】
請求項３にかかる制御盤付筐体装置は、請求項１または請求項２の構成において、前記制御機器収容部の開放面側の反対面側は、開放としたものである。
【００２７】
これによって、各種制御機器が収容される空間である制御機器収容部の開放面に内部軸支持部で９０度以上回動するように開閉自在に配設され、制御機器を取付けた内側開閉扉を開いて制御機器のメンテナンスを行うことができるばかりでなく、開放面側の反対面側が開放されているために、内側開閉扉を閉じたままでも制御機器のメンテナンスを行うことができる。また、複雑な制御回路で電子機器の設置スペースを広くする必要のある場合であっても、制御機器収容部の背面側からのメンテナンスが可能であるから、その搭載が可能である。そして、制御機器を取付けた内側開閉扉を開いてメンテナンスを行うか、制御機器収容部の背面側からメンテナンスを行うか、筐体内に内蔵する遮断機、変圧器、ブロア、高電圧受電用、蓄電池収容等から作業員がより離れて作業ができる方を選択することができるので、より安全にメンテナンスを行うことができる。
【００２８】
請求項４にかかる制御盤付筐体装置は、請求項１または請求項２の構成において、前記制御機器収容部の開放面側の反対面側は、開放可能な螺子止めとしたものである。
【００２９】
これによって、通常時は制御機器収容部の開放面側は内側開閉扉が閉じられ、反対面側は背面板等が螺子止めされて塞がれているので、制御機器収容部に収容された各種制御機器は、筐体の１枚以上の開閉扉が開けられた状態でも確実に外部から保護されている。したがって、作業者がうっかり制御機器に触れて故障の原因になったりする事態を確実に防止できる。そして、背面板等は開放可能に螺子止めされているので、螺子止めを外して背面板等を除去することによって、開放面側の反対面側は開放された状態となる。
【００３０】
これによって、内側開閉扉を閉じたままでも制御機器のメンテナンスを行うことができる。また、複雑な制御回路で電子機器の設置スペースを広くする必要のある場合であっても、制御機器収容部の背面側からのメンテナンスが可能であるから、その搭載が可能である。そして、制御機器を取付けた内側開閉扉を開いてメンテナンスを行うか、制御機器収容部の背面側からメンテナンスを行うか、筐体内に内蔵する遮断機、変圧器、ブロア、高電圧受電用、蓄電池収容等から作業員がより離れて作業ができる方を選択することができるので、より安全にメンテナンスを行うことができる。
【００３１】
請求項５にかかる制御盤付筐体装置は、請求項１または請求項２の構成において、前記制御機器収容部の開放面側の反対面側は、開放自在な扉としたものである。したがって、請求項４よりも開閉が自在となる。
【００３２】
請求項６にかかる制御盤付筐体装置は、請求項１乃至請求項５のいずれか１つの構成において、前記筐体は、前記制御機器収容部の背面側に前記筐体の全体を開放できる観音開扉状の金属製のネットを張設したことを特徴とするものである。
【００３３】
これによって、開閉扉を開いて制御機器のメンテナンスを行う場合、作業者は金属製のネットによって筐体の中に設置される遮断機、変圧器、ブロア、高電圧受電用、蓄電池収容等の機器から隔離されているので、メンテナンスの安全性が確保される。また、この中仕切りの観音開扉は金属製のネットであることから、吸気口から換気扇への空気の流れを妨げることなく、放熱性・換気性を低下させることもない。また、この金属製のネットは観音開扉状であることから開いた時の開口面積が広く、筐体の中に設置される遮断機、変圧器、ブロア、高電圧受電用、蓄電池収容等の機器の出し入れも容易になる。さらに、筐体の中にどのような機器が設置されているかが第三者にもネットを閉じた状態で見えるので、危険防止にもなる。
【００３４】
請求項７にかかる制御盤付筐体装置は、請求項１乃至請求項５のいずれか１つの構成において、前記筐体は、前記制御機器収容部を一側に、他側に金属製のネットを観音開扉状に配設したものである。
【００３５】
これによって、換気扇を設置しなくても筐体の中に設置される遮断機、変圧器、ブロア、高電圧受電用、蓄電池収容等の機器から発せられる熱が筐体内に篭もることなく、スムースに放熱され、換気性も良い。また、この金属製のネットは観音開扉状であることから開いた時の開口面積が広く、筐体の中に設置される遮断機、変圧器、ブロア、高電圧受電用、蓄電池収容等の機器の出し入れも容易になる。さらに、筐体の中にどのような機器が設置されているかが第三者にもネットを閉じた状態で見えるので、危険防止にもなる。
【００３６】
そして、請求項１にかかる発明におけるように、一側に配設された制御機器収容部が回動しなくても、他側に観音開扉状の金属製のネットが配設されていることから、機器類を作業者が触れても安全な状態としてから、この金属製のネットを観音開状に開くことによって、制御機器収容部が邪魔になることなく、機器類のメンテナンスが非常に行い易くなる。
【００３７】
請求項８にかかる制御盤付筐体装置は、請求項１乃至請求項６のいずれか１つの構成において、前記筐体は、前記開閉扉を観音開扉とし、該開閉扉の内側で前記筐体の構成部分に取付けられ、９０度以上回動する中間軸支持部、及び前記中間軸支持部に固着された制御機器を収容する１面を開放した制御機器収容部と、前記制御機器収容部の開放面に内部軸支持部で開閉自在に配設され、制御機器を取付けた内側開閉扉とを観音開状に１対ずつ設けたものである。
【００３８】
これによって、開閉扉を開いて、１対の制御機器収容部を観音開状に開いて遮断機、変圧器、ブロア、高電圧受電用、蓄電池収容等の機器のメンテナンスを行う場合にも、１対の制御機器収容部が邪魔になることがなく作業が非常に容易に行えるとともに、開かれた開閉扉及び１対の制御機器収容部の占めるスペースが最小限で済む。同様に、開閉扉を開いて、１対の内側開閉扉を観音開状に開いて制御機器のメンテナンスを行う場合にも、開かれた開閉扉及び１対の内側開閉扉の占めるスペースが最小限で済む。したがって、扉を開くスペースが限られた狭い場所にも設置することができる制御盤付筐体装置となる。
【００３９】
また、制御機器収容部をも１対設けたことによって、制御機器収容部が１つの場合に比較して同じ奥行きで倍の制御機器を収容することができることから、複雑な制御回路で電子機器の設置スペースを広くする必要のある場合であっても、筐体の奥行きを長くする必要がなくコンパクトなままでその搭載が可能である。更に、同じ量の制御機器を収容する場合でも、１対の制御機器収容部に分けて取付ける場合には制御機器収容部の奥行きを短縮することができることから、筐体の奥行きを短くすることができ、よりコンパクトな制御盤付筐体装置となる。
【００４０】
【発明の実施の形態】
以下、本発明の実施の形態について、図面を参照して説明する。
【００４１】
実施の形態１
まず、本発明の実施の形態１について、図１乃至図７を参照して説明する。図１（ａ）は本発明の実施の形態１にかかる制御盤付筐体装置の全体を示す正面図、（ｂ）は側面図、（ｃ）は（ａ）のＡ−Ａ横断面図である。図２（ａ）は本発明の実施の形態１にかかる制御盤付筐体装置の内部制御ボックスを示す平面図、（ｂ）は正面図、（ｃ）は側面図である。図３は本発明の実施の形態１にかかる制御盤付筐体装置の右側の本体扉と内部制御ボックスの回動構造を示す一部横断面図である。図４は本発明の実施の形態１にかかる制御盤付筐体装置の内部制御ボックスの回動構造を示す正面図である。図５は本発明の実施の形態１にかかる制御盤付筐体装置の右側の本体扉の回動構造を示す横断面図である。図６は本発明の実施の形態１にかかる制御盤付筐体装置の右側の制御ボックス扉の回動構造を示す横断面図である。図７は本発明の実施の形態１にかかる制御盤付筐体装置の右側の制御ボックス本体の回動構造を示す横断面図である。
【００４２】
図１に示されるように、本実施の形態１の制御盤付筐体装置１は、左側面パネル１６、背面パネル１７、右側面パネル１８が互いに組み付けられるとともに底面のベース１０に取付けられ、さらに前記３枚のパネル１６，１７，１８の上に屋根パネル２が取付けられ、２枚のうち右側の１枚のみに一部に透過性窓４を設けた観音開の本体扉３が外部軸支持部としての２個、３個等の複数個の蝶番にそれぞれ固着されることによって、筐体が形成されている。パネル同士の取り付けは溶接でも螺子止めでもまたその他の方法でも、筐体の機械的強度が確保できる方法なら何でも良い。
【００４３】
２枚の観音開の本体扉３の中央よりには１対のハンドル５が取付けられており、これらのハンドル５を反対方向に約９０度回すことによって２枚の本体扉３の固定が外れて、本体扉３の一方または両方を開くことができる。また、前記本体扉３の内側で右側に筐体の構成部分に中間軸支持部としての３個の蝶番に９０度以上回動可能に取付けられ、制御機器を収容する１面を開放した制御ボックス本体８と、制御ボックス本体８の開放面に内部軸支持部としての２個の蝶番で９０度以上回動するように開閉自在に配設され、制御機器を取付けた制御ボックス扉１２とを具備している。
【００４４】
したがって、屋根パネル２及び３枚のパネル１６，１７，１８並びにベース１０は、本発明の４枚以上のパネルに相当する。また、２枚の観音開の本体扉３は、本発明の一部に透過性窓を設けた１枚以上の開閉扉に相当する。さらに、制御ボックス本体８は本発明の制御機器収容部に、制御ボックス扉１２は本発明の内側開閉扉に、それぞれ相当する。
【００４５】
更に、屋根パネル２には制御盤付筐体装置１を移動させる際にワイヤロープ等を掛けて吊り上げるためのフック２ａが４個固定されている。また、透過性窓４には透明ガラスが嵌め込まれており、本体扉３を閉めた状態でも制御ボックス扉１２の表面に取付けられた表示ランプ６やメータ７を見ることができる。更に、本体扉３の下端部には吸気口カバー９に覆われた吸気口が設けられており、背面パネル１７に取付けられた３個の換気扇１４が作動することによって、吸気口から換気扇１４への空気の流れが生じ、内蔵された遮断機、変圧器、ブロア、高電圧受電用、蓄電池収容等の機器類から発生する熱を外部へ逃がして放熱性・換気性を確保している。これら３個の換気扇１４は上下面が開放された換気扇カバー１５によって、外部から保護されている。
【００４６】
図１（ｂ），（ｃ）に想像線で示される空間が、機器設置範囲１３である。この機器設置範囲１３を取り囲んで、パネル１６，１７，１８の内面には、防音材としてのグラスウール１６ａ，１７ａ，１８ａが貼り付けられている。グラスウール１６ａ，１７ａ，１８ａは一体に繋がったものでも良い。これらの防音材１６ａ，１７ａ，１８ａや前記吸気口及び換気扇１４は、本実施の形態１の制御盤付筐体装置１が減音及び吸排気を必要とする屋外式装置であるため設けられたものである。なお、中継端子台取付板１１についても同様である。
【００４７】
ベース１０は筐体を構成する底面パネルであり、機器設置範囲１３に設置される機器類の重量に耐えるだけのパネルの厚さを有している。したがって、設置される機器類によっては制御盤付筐体装置１全体としてかなりの重量になり、設置場所が平坦であればベース１０をそのまま置くだけでも安定して設置できる場合もある。
【００４８】
かかる構成を有する本実施の形態１の制御盤付筐体装置１における機器類及び制御機器のメンテナンスについて、図１及び図２を参照して説明する。まず機器類への電力の供給を停止しあるいは機械的可動部分の電源を切って停止させ、作業者が機器類に触れても電気的・機械的に安全な状態とする。続いて、本体扉３のハンドル５を両手で持って左側のハンドル５を右回りに、右側のハンドル５を左回りにそれぞれ約９０度回すと、２枚の本体扉３が開かないように留めていた図示しない留め金が外れて、図１（ｃ）に想像線で示されるように、２枚の本体扉３を観音開に開くことができる。これによって、機器設置範囲１３の空間内で機器類のメンテナンス作業ができるようになるが、右側の本体扉３の後ろには上半分に制御ボックス８，１２が取付けられており、このままでは制御ボックス８，１２が邪魔になりその周囲特に背後に設置された機器類のメンテナンスが著しく困難になる。
【００４９】
しかし、本実施の形態１の制御盤付筐体装置１においては、制御ボックス本体８が本体扉３の内側で筐体の構成部分に９０度以上回動可能に取付けられているので、制御ボックス扉１２を閉じたまま、図１（ｂ）に想像線で示されるように、制御ボックス８，１２を９０度以上回動させることによって、機器設置範囲１３の前面が完全に開放された状態になる。これによって、制御ボックス８，１２が作業者の邪魔をすることがなくなり、機器設置範囲１３に設置された機器のメンテナンスが非常に行い易くなる。
【００５０】
次に、制御ボックス８，１２内の制御機器のメンテナンスについて、図２を参照して説明する。上述の如く、本体扉３を開放すると制御ボックス８，１２の制御ボックス扉１２が図２（ｂ）に示されるように表れる。制御ボックス扉１２の最上部にはこの制御ボックス８，１２の名称等を示した銘板２１が取付けられており、その下には複数個のランプ類６、メータ類７、制御スイッチ２３、電源スイッチ２４、切り替えスイッチ２５、ブザー２６が取付けられている。複数個のランプ類６、メータ類７の上にはそれぞれの役割を示すプレート６ａ，７ａが貼り付けられている。この状態で、制御盤としての制御ボックス扉１２に取付けられた制御スイッチ２３、電源スイッチ２４、切り替えスイッチ２５を操作することができる。
【００５１】
制御ボックス扉１２の右端は、内部軸支持部としての２個の蝶番３７で制御ボックス本体８に対して９０度以上回動可能に取付けられている。また、制御ボックス扉１２の左端には埋め込み式の取っ手２２が取付けられており、押しボタン２２ａを押すと取っ手２２が下端側を軸にして上端側が手前に飛び出すとともに、制御ボックス扉１２をロックしていた図示しない留め金が外れ、取っ手２２を持って制御ボックス扉１２を開けることができる。すると、図２（ｃ）に示されるように、制御ボックス本体８の背面パネル内側には基板２７が固定されており、その上には様々な制御機器２８が取付けられている。
【００５２】
制御ボックス扉１２を９０度以上開け放つことによって、作業者はこれらの制御機器２８のメンテナンスを容易に行うことができる。また、制御ボックス扉１２に取付けられたランプ類６、メータ類７、制御スイッチ２３等の修理・調整・交換等のメンテナンスを開け放たれた制御ボックス扉１２の裏側から行うことができる。なお、この際１対の本体扉３のうち左側の扉を閉めておくことによって、誤って作業者の体の一部が機器設置範囲１３内に入る恐れがより少なくなり安全にメンテナンスを行うことができる。更に、制御ボックス本体８の下方の空間から作業者の下半身が機器設置範囲１３内に入るのを防ぐために、制御ボックス本体８を４５度程度手前に回動させることによって、作業者を機器設置範囲１３から引き離すことができ、より安全を確保することができる。
【００５３】
このようにして、機器設置範囲１３内に設置された機器類及び制御ボックス本体８内と制御ボックス扉１２に取付けられた制御機器のメンテナンスを安全かつ容易に行うことができる。
【００５４】
次に、本実施の形態１の制御盤付筐体装置１における回動構造について、図３乃至図７を参照してより詳しく説明する。図３乃至図７は本発明の実施の形態１の制御盤付筐体装置１における回動構造を示す図である。図３に示されるように、本実施の形態１の制御盤付筐体装置１においては、本体扉３を想像線で示されるように９０度以上回動させる外部軸支持部としても、制御ボックス本体８を想像線で示されるように９０度以上回動させる中間軸支持部としても、制御ボックス扉１２を９０度以上回動させる内部軸支持部としても、複数個の蝶番３２，３０，３７をそれぞれ使用している。図３に示される全閉状態においては、これらの蝶番３２，３０，３７はいずれも閉じた状態にあり、制御ボックス扉１２に取付けられたランプ類６、メータ類７は、本体扉３が閉じた状態でも透過性窓４の透明ガラスを通して外部から視認できる。
【００５５】
また、本体扉３の蝶番３２は、本体扉３の上端から下端まで伸びるＬ字鋼３３によって補強されており、同様に制御ボックス本体８の蝶番３０も、制御ボックス本体８の上端から下端まで伸びるＬ字鋼３１によって補強されている。蝶番３０，３２は、これらのＬ字鋼３１，３３を介して側面パネル１６に固着されている。更に、制御ボックス本体８の内側よりの側面上端には、次に説明するように制御ボックス本体８を原位置に固定するための上下スライド棒（カンヌキ）が嵌合する固定用パイプ３４が固定されている。
【００５６】
次に、この上下スライド棒（カンヌキ）について、図４を参照して説明する。本体扉３を開けると屋根パネル２にブラケット３８が取付けられており、その前面に支持パイプ３６が固定されている。支持パイプ３６には前面に長孔３６ａが穿設されており、支持パイプ３６内に挿入された上下スライド棒３５からは突出棒３５ａが長孔３６ａを貫通して突出していて、この長孔３６ａの範囲内で突出棒３５ａと一体に上下スライド棒３５が支持パイプ３６内を上下にスライドする。そして、制御ボックス本体８が蝶番３０が閉じて筐体内に完全に収容された原位置にあるときには、支持パイプ３６と前記固定用パイプ３４の軸中心が一致して、上下スライド棒３５が固定用パイプ３４内に嵌合して突出棒３５ａが長孔３６ａの下端にくるまで下降する。
【００５７】
このようにして、制御ボックス本体８は、通常は蝶番３０を中心として無闇に回動しないように固定されている。筐体内の機器類や制御ボックス本体８内の制御機器のメンテナンス等のために制御ボックス本体８を回動させる必要があるときは、突出棒３５ａを長孔３６ａ内を引き上げて上下スライド棒３５を固定用パイプ３４内から引き抜く。これによって、制御ボックス本体８の固定が解かれるので、制御ボックス本体８または制御ボックス扉１２を持って（制御ボックス扉１２は通常は図２に示される埋め込み式の取っ手２２でロックされているので制御ボックス扉１２だけが開くことはない）蝶番３０を中心として任意の角度だけ回動させることができる。
【００５８】
次に、図５は蝶番３２を中心として本体扉３のみを９０度以上開いた状態を示す図であるが、本体扉３のハンドル５にも鍵が付いているので、素人、関係者外が勝手に開ける心配はない。ここでは、観音開の本体扉３の右扉のみを示しているが、本体扉３を開いただけでも右扉のみを開けて制御盤としての制御ボックス扉１２に取付けられたスイッチ類２３，２４，２５を操作したり、図示しない左扉をも開けて機器設置範囲１３の左側の機器類のメンテナンスを行ったりすることができる。
【００５９】
次に、図６は本体扉３を開くとともに蝶番３７を中心として制御ボックス扉１２をも９０度以上開いた状態を示す図であるが、制御ボックス扉１２を開くには図２に示される取っ手２２のロックを外さなければならない。この状態では、制御ボックス本体８内の制御機器のメンテナンスを行うことができ、また制御ボックス扉１２に取付けられたランプ類６、メータ類７、スイッチ類２３，２４，２５等のメンテナンス（調整・修理・交換等）を制御ボックス扉１２の裏側から行うことができる。
【００６０】
次に、図７は本体扉３を開くとともに蝶番３０を中心として制御ボックス扉１２を閉めたまま制御ボックス本体８も９０度以上開いた状態を示す図であるが、制御ボックス本体８をこのように回動させるためには、図４に示される上下スライド棒３５を固定用パイプ３４から引き抜かなければならない。このように、制御ボックス本体８を９０度以上開くことによって、特に機器設置範囲１３の右側部分の遮断機、変圧器、ブロア、高電圧受電用、蓄電池収容等の機器類のメンテナンスが非常に行い易くなる。
【００６１】
このようにして、本実施の形態１の制御盤付筐体装置１においては、機器設置範囲１３内に設置された機器類及び制御ボックス本体８内と制御ボックス扉１２に取付けられた制御機器のメンテナンスを安全かつ容易に行うことができる。
【００６２】
実施の形態２
次に、本発明の実施の形態２について、図８を参照して説明する。図８（ａ）は本発明の実施の形態２にかかる制御盤付筐体装置の全体を示す正面図、（ｂ）は側面図、（ｃ）は（ａ）のＢ−Ｂ横断面図である。なお、実施の形態１の図１と同一の部分には同一の符号を付して一部説明を省略する。
【００６３】
図８に示されるように、本実施の形態２の制御盤付筐体装置４１は、左側面パネル１６、背面パネル１７、右側面パネル１８が互いに組み付けられるとともに底面のベース１０に取付けられ、さらに屋根パネル２が取付けられている点は、実施の形態１と同様である。異なるのは、２枚の観音開の本体扉３の２枚とも一部に透過性窓４が設けられて、外部軸支持部としての３個の蝶番にそれぞれ固着されることによって、筐体が形成されている点である。更に、左側の本体扉３の内部にも制御ボックス本体４５及び制御ボックス扉４６が設けられている。透過性窓４には透明ガラスが嵌め込まれているので、本体扉３を閉めた状態でも左右の制御ボックス扉１２，４６の表面に取付けられた表示ランプ６やメータ７を見ることができる。
【００６４】
図８（ｂ），（ｃ）に想像線で示される空間が、機器設置範囲１３である。この機器設置範囲１３と左右１対の制御ボックス本体８，４５の間には、筐体内部の底面から天井に亘って観音開の１対の中仕切り金網製扉４０が設けられている。したがって、中仕切り金網製扉４０は、本発明における観音開扉状に配設された金属製のネットに相当する。１対の中仕切り金網製扉４０は、通常は図４に示される部材３４，３５，３５ａ，３６，３６ａからなるカンヌキ構造と同様の構造を水平にしたカンヌキ４０ａによって閉じられている。この中仕切り金網製扉４０は、金網（ネット）からなるため通気性が良く、１対の吸気口カバー９の下の吸気口から背面パネル１７に取付けられた３個の換気扇１４への空気の流れを妨げることなく、放熱性・換気性を低下させることもない。
【００６５】
また、実施の形態１と同様に、図４に示されるように、制御ボックス本体８の内側よりの側面（左側面）上端には、制御ボックス本体８を原位置に固定するための上下スライド棒３５を中心としたカンヌキ構造が設けられており、同様のカンヌキ構造が制御ボックス本体４５の内側よりの側面（右側面）上端にも設けられている。なお、本体扉３、制御ボックス本体８，４５、制御ボックス扉１２，４６の回動構造については、実施の形態１（図３乃至図７）と同様である。（制御ボックス本体４５については制御ボックス本体８と、制御ボックス扉４６については制御ボックス扉１２と、それぞれ左右対称である。）
【００６６】
さて、本体扉３のハンドル５を両手で持って左側のハンドル５を右回りに、右側のハンドル５を左回りにそれぞれ約９０度回すと、２枚の本体扉３が開かないように留めていた図示しない留め金が外れて、図８（ｃ）に想像線で示されるように、２枚の本体扉３を観音開に開くことができる。これによって、図２（ｂ）に示されるような制御ボックス扉１２及び同様な制御ボックス扉４６が表れる。この状態で、制御盤としての制御ボックス扉１２，４６に取付けられた制御スイッチ２３、電源スイッチ２４、切り替えスイッチ２５を操作することができる。
【００６７】
実施の形態１と同様に、制御ボックス扉１２の右端は内部軸支持部としての２個の蝶番３７で制御ボックス本体８に９０度以上回動可能に取付けられており、同様に制御ボックス扉４６の左端は内部軸支持部としての図示しない２個の蝶番で制御ボックス本体４５に９０度以上回動可能に取付けられている。また、実施の形態１と同様に、制御ボックス扉１２の左端には埋め込み式の取っ手２２が取付けられており、押しボタン２２ａを押すと取っ手２２が下端側を軸にして上端側が手前に飛び出すとともに、制御ボックス扉１２をロックしていた留め金が外れ、取っ手２２を持って制御ボックス扉１２を開けることができる。同様な構造が制御ボックス扉４６の右端にも設けられており、通常は埋め込み式の取っ手に取付けられた留め金によって制御ボックス本体４５にロックされているが、押しボタン押すと取っ手が下端側を軸にして上端側が手前に飛び出すとともに、制御ボックス扉４６をロックしていた留め金が外れ、取っ手を持って制御ボックス扉４６を開けることができる。
【００６８】
これによって、制御ボックス本体８，４５内の制御機器及び制御ボックス扉１２，４６に取付けられた制御機器のメンテナンスを行うことができる。ここで、実施の形態１では制御ボックス本体８の左方及び下方が空間であり、作業者の体の一部が機器設置範囲１３に入る恐れがあったが、本実施の形態２においては図の如く制御ボックス本体８，４５と機器設置範囲４４との間が１対の中仕切り金網製扉４０によって仕切られているため、作業者の体の一部が機器設置範囲４４に入る恐れはない。したがって、制御ボックス本体８，４５を回動させなくても制御ボックス本体８，４５内の制御機器及び制御ボックス扉１２，４６に取付けられた制御機器のメンテナンスの安全性を確保することができる。
【００６９】
一方、機器設置範囲４４に設置された機器類のメンテナンスを行う場合には、まず機器類への電力の供給を停止しあるいは機械的可動部分の電源を切って停止させ、作業者が機器類に触れても電気的・機械的に安全な状態としてから、上述の如くにして、図８（ｃ）に想像線で示されるように、２枚の本体扉３を観音開に開く。次に、制御ボックス本体８，４５を原位置に固定している前記カンヌキ構造の上下スライド棒を外して、図８（ｃ）に想像線で示されるように、制御ボックス本体８，４５及び制御ボックス扉１２，４６をも観音開に開く。次に、１対の中仕切り金網製扉４０をロックしている水平方向のカンヌキ構造４０ａを外してから、１対の中仕切り金網製扉４０をも観音開に開放する。
【００７０】
これによって、機器設置範囲４４の前面が大きく開放されるので、遮断機、変圧器、ブロア、高電圧受電用、蓄電池収容等の機器類のメンテナンスが非常に行い易くなる。
【００７１】
このようにして、本実施の形態２の制御盤付筐体装置４１においては、機器設置範囲４４内に設置された機器類及び制御ボックス本体８，４５内と制御ボックス扉１２，４６に取付けられた制御機器のメンテナンスを安全かつ容易に行うことができる。
【００７２】
実施の形態３
次に、本発明の実施の形態３について、図１及び図８を参考にしながら説明する。本実施の形態３の制御盤付筐体装置は、図１の実施の形態１の制御盤付筐体装置１から、背面パネル１７、防音材１６ａ，１７ａ，１８ａ、３個の換気扇１４及び換気扇カバー１５を除去して、背面パネル１７の代わりに図８に示される１対の中仕切り金網製扉４０と同様な底面から天井に亘る観音開扉状の金属製のネットによって筐体が形成されている。
【００７３】
この観音開扉状の金属製のネットは、筐体の外側へ向かって観音開状に開くように、右側面パネル１６及び左側面パネル１８の端部にそれぞれ複数個の蝶番で９０度以上回動可能に取付けられている。そして、カンヌキ４０ａと同様の水平方向のカンヌキで通常は開かないようにロックされている。また、関係者外が勝手に開けられないようにカンヌキには鍵を掛けてある。なお、本体扉３、制御ボックス本体８，４５、制御ボックス扉１２，４６の回動構造については、実施の形態１（図３乃至図７）と同様である。
【００７４】
これによって、換気扇１４を設置しなくても筐体の中に設置される遮断機、変圧器、ブロア、高電圧受電用、蓄電池収容等の機器から発せられる熱が筐体内に篭もることなく、スムースに放熱され、換気性も良い。また、この金属製のネットは観音開扉状であることから開いた時の開口面積が広く、筐体の中に設置される遮断機、変圧器、ブロア、高電圧受電用、蓄電池収容等の機器の出し入れも容易になる。さらに、筐体の中にどのような機器が設置されているかが第三者にもネットを閉じた状態で見えるので、危険防止にもなる。
【００７５】
そして、制御ボックス本体８，４５が図１，図８に示されるように回動しなくても、背面側に観音開扉状の金属製のネットが配設されていることから、機器類を作業者が触れても安全な状態としてから、この金属製のネットを観音開状に開くことによって、制御ボックス本体８，４５が邪魔になることなく、機器類のメンテナンスが非常に行い易くなる。さらに、換気扇１４，換気扇カバー１５，防音材１６ａ，１７ａ，１８ａが不要で、背面パネル１７の代わりに金属製のネットを用いることからコストダウンにもなる。
【００７６】
実施の形態４
次に、本発明の実施の形態４について、図９乃至図１１を参照して説明する。図９乃至図１１は本発明の実施の形態４にかかる制御盤付筐体装置の回動構造を示す平面図である。本実施の形態４の制御盤付筐体装置が、実施の形態１〜３と異なるのは制御ボックス本体８，４５を９０度以上回動させる中間軸支持部及び制御ボックス扉１２，４６を９０度以上回動させる内部軸支持部の構造のみである。したがって、説明に必要な制御盤付筐体装置の前面右側の屋根パネル２を外した状態の拡大平面図のみを図示して、実施の形態１と同一の部分には同一の符号を付して一部説明を省略する。
【００７７】
図９に示されるように、本体扉３の回動構造は実施の形態１と同様であり、Ｌ字鋼３３によって補強された複数の蝶番３２によって想像線で示されるように９０度以上回動する。これに対して、制御ボックス本体８はＬ字鋼３１によって補強されている点は同じであるが、制御ボックス本体８側の固着部分が長い複数の蝶番４７によって回動可能にＬ字鋼３１を介して右側面パネル１６に取付けられている。そして、実施の形態１においては制御ボックス本体８とほぼ同軸に取付けられていた制御ボックス扉１２は、Ｌ字鋼４９に補強された蝶番４８によって回動可能に制御ボックス本体８に取付けられている。制御ボックス扉１２に取付けられたランプ類６、メータ類７は、本体扉３が閉じた状態でも透過性窓４の透明ガラスを通して外部から視認できる。
【００７８】
次に、図１０は本体扉３と制御ボックス扉１２が９０度以上回動して開かれた状態を示す図である。制御ボックス扉１２を開くには図２に示される取っ手２２のロックを外さなければならない。この状態では、制御ボックス本体８内の制御機器のメンテナンスを行うことができ、また制御ボックス扉１２に取付けられたランプ類６、メータ類７、スイッチ類２３，２４，２５等のメンテナンス（調整・修理・交換等）を制御ボックス扉１２の裏側から行うことができる。
【００７９】
次に、図１１は本体扉３と制御ボックス本体８が９０度以上回動して開かれた状態を示す図である。制御ボックス本体８をこのように回動させるためには、図４に示される上下スライド棒３５を固定用パイプ３４から引き抜かなければならない。このように、制御ボックス本体８を９０度以上開き、同様に制御ボックス本体４５も９０度以上開くことによって、機器設置範囲１３の右側部分あるいは機器設置範囲４４の遮断機、変圧器、ブロア、高電圧受電用、燃料電池、蓄電池収容等の機器類のメンテナンスが非常に行い易くなる。
【００８０】
実施の形態５
次に、本発明の実施の形態５について、図１２乃至図１５を参照して説明する。図１２乃至図１５は本発明の実施の形態５にかかる制御盤付筐体装置の回動構造を示す図である。本実施の形態５の制御盤付筐体装置が、実施の形態４と異なるのは制御ボックス本体８，４５を９０度以上回動させる中間軸支持部の構造のみである。したがって、説明に必要な制御盤付筐体装置の前面右側の屋根パネル２を外した状態の拡大平面図等のみを図示して、実施の形態１と同一の部分には同一の符号を付して一部説明を省略する。
【００８１】
図１２に示されるように、本体扉３と制御ボックス扉１２の回動方式は蝶番３２と蝶番４８であって、実施の形態４と同様である。これに対して、制御ボックス本体８の回動方式は制御ボックス本体８の上面と下面に取付けた回動軸部品５０等に軸孔を穿設して、パネル６０に取付けた回動軸５１を嵌め込む方式である。即ち、図１３の一部省略正面図に示されるように、制御ボックス本体８の上面に取付け部材５３を介して回動軸部品５０を固定し、パネル６０から伸びた回動軸５１を嵌め込む。同時に、制御ボックス本体８の下面に取付け部材５４を介して回動軸部品５５を固定し、パネル６０から伸びた回動軸５６を嵌め込む。そして、上の回動軸５１に設けられた雄螺子にナット５２をねじ込むことによって、制御ボックス本体８を９０度以上回動させる構造が完成する。
【００８２】
次に、図１４は本体扉３と制御ボックス扉１２が９０度以上回動して開かれた状態を示す図である。制御ボックス扉１２を開くには図２に示される取っ手２２のロックを外さなければならない。この状態では、制御ボックス本体８内の制御機器のメンテナンスを行うことができ、また制御ボックス扉１２に取付けられたランプ類６、メータ類７、スイッチ類２３，２４，２５等のメンテナンス（調整・修理・交換等）を制御ボックス扉１２の裏側から行うことができる。
【００８３】
次に、図１５は本体扉３と制御ボックス本体８が回動軸５１を中心にして９０度以上回動した状態を示す図である。制御ボックス本体８をこのように回動させるためには、図１３に示される上下スライド棒３５を固定用パイプ３４から引き抜かなければならない。このように、制御ボックス本体８を９０度以上開き、同様に制御ボックス本体４５も９０度以上開くことによって、機器設置範囲１３の右側部分あるいは機器設置範囲４４の遮断機、変圧器、ブロア、高電圧受電用、蓄電池収容等の機器類のメンテナンスが非常に行い易くなる。
【００８４】
上記各実施の形態の制御盤付筐体装置においては、枠体なしで組み立てられた４面以上からなるパネル２，１０，１６，１７，１８と開閉扉としての本体扉３から筐体を構成しているが、最外郭を形成する枠体及び枠体に取付けられた４面以上からなるパネルと開閉扉とから筐体を構成することもできる。
【００８５】
また、上記各実施の形態においては制御機器収容部としての制御ボックス本体８の開放面側の反対側面即ち背面は閉じて制御機器２８を取付けたが、制御機器を制御ボックス本体８の内面の上面、底面、両側面に取付けて、背面は開放としても良いし、背面板は開放可能な螺子止めとしても良い。これによって、制御ボックス扉１２を開けなくても背面から制御機器のメンテナンスが可能になり、また複雑な制御回路で電子機器の設置スペースを広くする必要のある場合であっても、背面からのメンテナンスが可能であるから、その搭載が可能である。
【００８６】
制御盤付筐体装置のその他の部分の構成、形状、数量、材質、大きさ、接続関係等についても、上記各実施の形態に限定されるものではない。
【００８７】
【発明の効果】
以上説明したように、請求項１にかかる制御盤付筐体装置は、最外郭を形成する枠体、及び前記枠体に取付けられた４面以上からなるパネル、または枠体なしで組み立てられた４面以上からなるパネル、及び前記枠体または前記パネルに取付けられた外部軸支持部に固着された一部に透過性窓を設けた１枚以上の開閉扉からなる筐体と、前記開閉扉の内側で前記筐体の構成部分に取付けられ、制御機器を収容する少なくとも１面を開放した制御機器収容部と、前記制御機器収容部の開放面に内部軸支持部で９０度以上回動するように開閉自在に配設され、制御機器が取付けられ、表面の表示器類が前記開閉扉を閉じた状態で前記透過性窓を通して見える位置にある内側開閉扉とを具備するものである。
【００８８】
したがって、各種制御機器の配設されている制御機器収容部の内側開閉扉は、開閉扉を開放することによってのみ、制御機器の操作が可能となり、素人、関係者外が操作する可能性がない。また、雨風に制御機器が晒されることがなくなり、当該制御機器の寿命を長くすることができる。また、制御機器を取付けた内側開閉扉を開放することにより、制御機器のメンテナンスを行なうことができる。そして、この内側開閉扉は制御機器収容部の開放面に内部軸支持部で９０度以上回動するように開閉自在に配設されているから、内側開閉扉を９０度以上の範囲内で自由な方向に開くことができる。これによって、内側開閉扉に取付けられた制御機器のメンテナンスを行う際に、筐体内に内蔵する遮断機、変圧器、ブロア、高電圧受電用、蓄電池収容等に作業員が背を向けることなく作業をすることができるから、安全性を確保できる。
【００８９】
ところで、最外郭を形成する枠体は、通常、８辺の構造体からなるが、筐体を構成する機械的強度を維持できればよく、底部は基礎に設置することから、底部側の形態は基礎に設置できる構造となる。
【００９０】
また、前記枠体に取付けられた、または枠体なしで組み立てられた４面以上からなるパネルは、両側面体及び背面体及び屋根面体であり、底面は通常有していないが、設置条件によって設けてもよい。底面パネルを設けることによって基礎に固定されず、移動自在なキュービクルとすることができる。当該パネルは、換気用窓、換気ファン等が配設されたり、自然対流が生じるように必要な空間を形成したものとすることができる。即ち、全面が板状であることを必要とするものではなく、通常の使用状態によって構成される金網、スリット等が配置される。
【００９１】
そして、前記枠体またはパネルに取付けられた外部軸支持部に固着された一部に透過性窓を設けた１枚以上の開閉扉は、通常、観音開扉が使用されるが、１枚物の扉とすることもできる。１枚物の扉よりも観音開扉の方が、開閉のスペースを少なくできる。
【００９２】
また、制御機器収容部の開放面に内部軸支持部で９０度以上回動するように開閉自在に配設され、制御機器を取付けた内側開閉扉は、通常、各種表示、各種スイッチが配設される通常の制御ボックスの制御盤である。この内側開閉扉の表面の表示器類は、開閉扉を閉じた状態で透過性窓を通して見える位置にあるので、表示器類を開閉扉を閉めた状態で見ることができる。
【００９３】
このようにして、制御系のメンテナンスを安全に行うことができ、コンパクトで見栄えが良く表示器・計器類を扉を閉めたままで見ることができる制御盤付筐体装置となる。
【００９４】
請求項２にかかる制御盤付筐体装置は、最外郭を形成する枠体、及び前記枠体に取付けられた４面以上からなるパネル、または枠体なしで組み立てられた４面以上からなるパネル、及び前記枠体または前記パネルに取付けられた外部軸支持部に固着された一部に透過性窓を設けた１枚以上の開閉扉からなる筐体と、前記開閉扉の内側で前記筐体の構成部分に取付けられ、９０度以上回動する中間軸支持部、及び前記軸支持部に固着された制御機器を収容する少なくとも１面を開放した制御機器収容部と、前記制御機器収容部の開放面に内部軸支持部で９０度以上回動するように開閉自在に配設され、制御機器が取付けられ、表面の表示器類が前記開閉扉を閉じた状態で前記透過性窓を通して見える位置にある内側開閉扉とを具備するものである。
【００９５】
したがって、各種制御機器の配設されている制御機器収容部の内側開閉扉は、開閉扉を開放することによってのみ、制御機器の操作が可能となり、素人、関係者外が操作する可能性がない。また、雨風に制御機器が晒されることがなくなり、当該制御機器の寿命を長くすることができる。また、制御機器を取付けた内側開閉扉を開放することにより、制御機器のメンテナンスを行なうことができる。
【００９６】
そして、制御機器収容部が回動自在であるから、筐体内に内蔵されている遮断機、変圧器、ブロア、高電圧受電用、蓄電池収容等の機器類のメンテナンスを行う際には、制御機器収容部を９０度以上回動させることによって筐体前面が完全に開放された状態になり、制御機器収容部が邪魔にならないためメンテナンスが非常にやり易くなる。また、複雑な制御回路で電子機器の設置スペースを広くする必要のある場合であっても、制御機器収容部を回動させることによって制御機器収容部の後側からのメンテナンスが可能であるから、その搭載が可能である。
【００９７】
また、筐体内に内蔵する遮断機、変圧器、ブロア、高電圧受電用、蓄電池収容等の出し入れも容易になる。特に、９０度以上回動させることにより、出し入れの開口面積をより広くすることができる。更に、制御機器のメンテナンスの際にも筐体内に内蔵する遮断機、変圧器、ブロア、高電圧受電用、蓄電池収容等の機器類に作業員が背を向けることなく、またこれら機器類から最も離れた位置で作業をすることができるから、安全性を確保できる。
【００９８】
そして、前記枠体またはパネルに取付けられた外部軸支持部に固着された一部に透過性窓を設けた１枚以上の開閉扉は、通常、観音開扉が使用されるが、１枚物の扉とすることもできる。１枚物の扉よりも観音開扉の方が、開閉のスペースを少なくできる。
【００９９】
更に、開閉扉の内側で前記筐体の構成部分に取付けられ、９０度以上回動する中間軸支持部は、通常、機械的強度のある蝶番で実施されるが、軸として回動できる構造のものであればよい。
【０１００】
更に、中間軸支持部に固着された制御機器を収容する少なくとも１面を開放した制御機器収容部は、各種制御機器が収容される空間であり、多層に設置スペースを確保することもできる。背面からも修理等の操作が可能なように、背面板を取り外し自在にすることもできる。
【０１０１】
更にまた、制御機器収容部の開放面に内部軸支持部で９０度以上回動するように開閉自在に配設され、制御機器を取付けた内側開閉扉は、通常、各種表示、各種スイッチが配設される通常の制御ボックスの制御盤である。この内側開閉扉の表面の表示器類は、開閉扉を閉じた状態で透過性窓を通して見える位置にあるので、表示器類を開閉扉を閉めた状態で見ることができる。
【０１０２】
このようにして、制御系のメンテナンスを安全に行うことができ、内蔵された機器類のメンテナンスを容易に行うことができるとともに、コンパクトで見栄えが良く表示器・計器類を扉を閉めたままで見ることができる制御盤付筐体装置となる。
【０１０３】
請求項３にかかる制御盤付筐体装置は、請求項１または請求項２の構成において、前記制御機器収容部の開放面側の反対面側は、開放としたものである。
【０１０４】
これによって、各種制御機器が収容される空間である制御機器収容部の開放面に内部軸支持部で９０度以上回動するように開閉自在に配設され、制御機器を取付けた内側開閉扉を開いて制御機器のメンテナンスを行うことができるばかりでなく、開放面側の反対面側が開放されているために、内側開閉扉を閉じたままでも制御機器のメンテナンスを行うことができる。また、複雑な制御回路で電子機器の設置スペースを広くする必要のある場合であっても、制御機器収容部の背面側からのメンテナンスが可能であるから、その搭載が可能である。そして、制御機器を取付けた内側開閉扉を開いてメンテナンスを行うか、制御機器収容部の背面側からメンテナンスを行うか、筐体内に内蔵する遮断機、変圧器、ブロア、高電圧受電用、蓄電池収容等から作業員がより離れて作業ができる方を選択することができるので、より安全にメンテナンスを行うことができる。
【０１０５】
請求項４にかかる制御盤付筐体装置は、請求項１または請求項２の構成において、前記制御機器収容部の開放面側の反対面側は、開放可能な螺子止めとしたものである。
【０１０６】
これによって、通常時は制御機器収容部の開放面側は内側開閉扉が閉じられ、反対面側は背面板等が螺子止めされて塞がれているので、制御機器収容部に収容された各種制御機器は、筐体の１枚以上の開閉扉が開けられた状態でも確実に外部から保護されている。したがって、作業者がうっかり制御機器に触れて故障の原因になったりする事態を確実に防止できる。そして、背面板等は開放可能に螺子止めされているので、螺子止めを外して背面板等を除去することによって、開放面側の反対面側は開放された状態となる。
【０１０７】
これによって、内側開閉扉を閉じたままでも制御機器のメンテナンスを行うことができる。また、複雑な制御回路で電子機器の設置スペースを広くする必要のある場合であっても、制御機器収容部の背面側からのメンテナンスが可能であるから、その搭載が可能である。そして、制御機器を取付けた内側開閉扉を開いてメンテナンスを行うか、制御機器収容部の背面側からメンテナンスを行うか、筐体内に内蔵する遮断機、変圧器、ブロア、高電圧受電用、蓄電池収容等から作業員がより離れて作業ができる方を選択することができるので、より安全にメンテナンスを行うことができる。
【０１０８】
請求項５にかかる制御盤付筐体装置は、請求項１または請求項２の構成において、前記制御機器収容部の開放面側の反対面側は、開放自在な扉としたものである。
【０１０９】
これによって、通常時は制御機器収容部の開放面側は内側開閉扉が閉じられ、反対面側は背面板等が螺子止めされて塞がれているので、制御機器収容部に収容された各種制御機器は、筐体の１枚以上の開閉扉が開けられた状態でも確実に外部から保護されている。したがって、作業者がうっかり制御機器に触れて故障の原因になったりする事態を確実に防止できる。そして、背面板等は開放自在な扉であるので、容易に開閉が自在となる。
【０１１０】
これによって、内側開閉扉を閉じたままでも制御機器のメンテナンスを行うことができる。また、複雑な制御回路で電子機器の設置スペースを広くする必要のある場合であっても、制御機器収容部の背面側からのメンテナンスが可能であるから、その搭載が可能である。そして、制御機器を取付けた内側開閉扉を開いてメンテナンスを行うか、制御機器収容部の背面側からメンテナンスを行うか、筐体内に内蔵する遮断機、変圧器、ブロア、高電圧受電用、蓄電池収容等から作業員がより離れて作業ができる方を選択することができるので、より安全にメンテナンスを行うことができる。
【０１１１】
請求項６にかかる制御盤付筐体装置は、請求項１乃至請求項５のいずれか１つの構成において、前記筐体は、前記制御機器収容部の背面側に前記筐体の全体を開放できる観音開扉状の金属製のネットを張設したことを特徴とするものである。
【０１１２】
これによって、開閉扉を開いて制御機器のメンテナンスを行う場合、作業者は金属製のネットによって筐体の中に設置される遮断機、変圧器、ブロア、高電圧受電用、蓄電池収容等の機器から隔離されているので、メンテナンスの安全性が確保される。また、この中仕切りの観音開扉は金属製のネットであることから、吸気口から換気扇への空気の流れを妨げることなく、放熱性・換気性を低下させることもない。また、この金属製のネットは観音開扉状であることから開いた時の開口面積が広く、筐体の中に設置される遮断機、変圧器、ブロア、高電圧受電用、蓄電池収容等の機器の出し入れも容易になる。さらに、筐体の中にどのような機器が設置されているかが第三者にもネットを閉じた状態で見えるので、危険防止にもなる。
【０１１３】
請求項７にかかる制御盤付筐体装置は、請求項１乃至請求項５のいずれか１つの構成において、前記筐体は、前記制御機器収容部を一側に、他側に金属製のネットを観音開扉状に配設したものである。
【０１１４】
これによって、換気扇を設置しなくても筐体の中に設置される遮断機、変圧器、ブロア、高電圧受電用、蓄電池収容等の機器から発せられる熱が筐体内に篭もることなく、スムースに放熱され、換気性も良い。また、この金属製のネットは観音開扉状であることから開いた時の開口面積が広く、筐体の中に設置される遮断機、変圧器、ブロア、高電圧受電用、蓄電池収容等の機器の出し入れも容易になる。さらに、筐体の中にどのような機器が設置されているかが第三者にもネットを閉じた状態で見えるので、危険防止にもなる。
【０１１５】
そして、請求項１にかかる発明におけるように、一側に配設された制御機器収容部が回動しなくても、他側に観音開扉状の金属製のネットが配設されていることから、機器類を作業者が触れても安全な状態としてから、この金属製のネットを観音開状に開くことによって、制御機器収容部が邪魔になることなく、機器類のメンテナンスが非常に行い易くなる。さらに、換気扇が不要でパネルの代わりに金属製のネットを用いることからコストダウンにもなる。
【０１１６】
請求項８にかかる制御盤付筐体装置は、請求項１乃至請求項６のいずれか１つの構成において、前記筐体は、前記開閉扉を観音開扉とし、該開閉扉の内側で前記筐体の構成部分に取付けられ、９０度以上回動する中間軸支持部、及び前記中間軸支持部に固着された制御機器を収容する１面を開放した制御機器収容部と、前記制御機器収容部の開放面に内部軸支持部で開閉自在に配設され、制御機器を取付けた内側開閉扉とを観音開状に１対ずつ設けたものである。
【０１１７】
これによって、開閉扉を開いて、１対の制御機器収容部を観音開状に開いて遮断機、変圧器、ブロア、高電圧受電用、蓄電池収容等の機器のメンテナンスを行う場合にも、１対の制御機器収容部が邪魔になることがなく作業が非常に容易に行えるとともに、開かれた開閉扉及び１対の制御機器収容部の占めるスペースが最小限で済む。同様に、開閉扉を開いて、１対の内側開閉扉を観音開状に開いて制御機器のメンテナンスを行う場合にも、開かれた開閉扉及び１対の内側開閉扉の占めるスペースが最小限で済む。したがって、扉を開くスペースが限られた狭い場所にも設置することができる制御盤付筐体装置となる。
【０１１８】
また、制御機器収容部をも１対設けたことによって、制御機器収容部が１つの場合に比較して同じ奥行きで倍の制御機器を収容することができることから、複雑な制御回路で電子機器の設置スペースを広くする必要のある場合であっても、筐体の奥行きを長くする必要がなくコンパクトなままでその搭載が可能である。更に、同じ量の制御機器を収容する場合でも、１対の制御機器収容部に分けて取付ける場合には制御機器収容部の奥行きを短縮することができることから、筐体の奥行きを短くすることができ、よりコンパクトな制御盤付筐体装置となる。
【図面の簡単な説明】
【図１】図１（ａ）は本発明の実施の形態１にかかる制御盤付筐体装置の全体を示す正面図、（ｂ）は側面図、（ｃ）は（ａ）のＡ−Ａ横断面図である。
【図２】図２（ａ）は本発明の実施の形態１にかかる制御盤付筐体装置の内部制御ボックスを示す平面図、（ｂ）は正面図、（ｃ）は側面図である。
【図３】図３は本発明の実施の形態１にかかる制御盤付筐体装置の右側の本体扉と内部制御ボックスの回動構造を示す一部横断面図である。
【図４】図４は本発明の実施の形態１にかかる制御盤付筐体装置の内部制御ボックスの回動構造を示す正面図である。
【図５】図５は本発明の実施の形態１にかかる制御盤付筐体装置の右側の本体扉の回動構造を示す横断面図である。
【図６】図６は本発明の実施の形態１にかかる制御盤付筐体装置の右側の制御ボックス扉の回動構造を示す横断面図である。
【図７】図７は本発明の実施の形態１にかかる制御盤付筐体装置の右側の制御ボックス本体の回動構造を示す横断面図である。
【図８】図８（ａ）は本発明の実施の形態２にかかる制御盤付筐体装置の全体を示す正面図、（ｂ）は側面図、（ｃ）は（ａ）のＢ−Ｂ横断面図である。
【図９】図９は本発明の実施の形態４にかかる制御盤付筐体装置の回動構造を示す平面図である。
【図１０】図１０は本発明の実施の形態４にかかる制御盤付筐体装置の回動構造を示す平面図である。
【図１１】図１１は本発明の実施の形態４にかかる制御盤付筐体装置の回動構造を示す平面図である。
【図１２】図１２は本発明の実施の形態５にかかる制御盤付筐体装置の回動構造を示す図である。
【図１３】図１３は本発明の実施の形態５にかかる制御盤付筐体装置の回動構造を示す図である。
【図１４】図１４は本発明の実施の形態５にかかる制御盤付筐体装置の回動構造を示す図である。
【図１５】図１５は本発明の実施の形態５にかかる制御盤付筐体装置の回動構造を示す図である。
【符号の説明】
１，４１　制御盤付筐体装置
２，１０，１６，１７，１８　４面以上からなるパネル
３　開閉扉
４　透過性窓
６，７　表示器類
８，４５　制御機器収容部
１２，４６　内側開閉扉
２３，２４，２５，２８　制御機器
３０，４７，５０，５１，５２，５３，５４，５５，５６　中間軸支持部
３２　外部軸支持部
３７，４８　内部軸支持部
４０　観音開扉状の金属製のネット
【図１】
2004135373.tif 000003
【図２】
2004135373.tif 000004
【図３】
2004135373.tif 000005
【図４】
2004135373.tif 000006
【図５】
2004135373.tif 000007
【図６】
2004135373.tif 000008
【図７】
2004135373.tif 000009
【図８】
2004135373.tif 000010
【図９】
2004135373.tif 000011
【図１０】
2004135373.tif 000012
【図１１】
2004135373.tif 000013
【図１２】
2004135373.tif 000014
【図１３】
2004135373.tif 000015
【図１４】
2004135373.tif 000016
【図１５】
2004135373.tif 000017